【事件の表示】
　特願２０１５−５１０１８６「ＭＭＴにおけるダウンロード可能なＣＡＳ又はＤＲＭのためのメッセージを送受信する方法及び装置」拒絶査定不服審判事件〔平成２５年１１月　７日国際公開、ＷＯ２０１３／１６５１８６、平成２７年　８月２０日国内公表、特表２０１５−５２４１７８〕について、次のとおり審決する。
【結　論】
　本件審判の請求は、成り立たない。
【理　由】
第１　手続の経緯
　本願は、２０１３年（平成２５年）５月２日（パリ条約による優先権主張外国庁受理２０１２年５月２日、米国、２０１２年７月１６日、米国）を国際出願日とする出願であって、その手続の経緯は以下のとおりである。
平成２８年１２月２０日付け：拒絶理由通知
平成２９年　４月　４日　　：手続補正、意見書の提出
　　　同年　４月２５日付け：拒絶理由通知（最後）
　　　同年　８月　８日　　：手続補正、意見書の提出
　　　同年　８月２９日付け：補正の却下の決定、拒絶査定
平成３０年　１月　４日　　：審判請求、手続補正
平成３１年　１月２３日付け：拒絶理由通知（当審）
　　　同年　４月２６日　　：手続補正、意見書の提出
第２　当審の拒絶の理由
　平成３１年１月２３日付けで当審が通知した拒絶の理由は、概略、以下のとおりである。
　本件出願の請求項１〜１０に係る発明は、その出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　記
・請求項１、２、４〜７、９、１０
・引用文献１、２
  
・請求項３、８
・引用文献１〜３
＜引用文献等一覧＞
１．米国特許出願公開第２０１２／００９００３４号明細書
２．国際公開第２００８／１５４２８３号
３．特開２００５−３２７１９６号公報
第３　本願発明
　本願の請求項に係る発明は、平成３１年４月２６日付けの手続補正により補正された特許請求の範囲の請求項１〜１０に記載された事項により特定されるものと認められるところ、その請求項１に係る発明（以下、「本願発明」という）は、以下のとおりのものである。
　なお、本願発明の各構成の符号は、説明のために当審において付与したものであり、以下、構成Ａ〜構成Ｇ２と称する。
（本願発明）
（Ａ）マルチメディアシステムにおけるクライアントデバイスによってメディアデータを受信する方法であって、
（Ｂ）サーバからセキュリティ情報を含むシグナリングメッセージを受信する過程と（１１０ａ）、
（Ｃ）前記クライアントデバイスの認証情報を含むセキュリティソフトウェア要請メッセージをセキュリティエンティティに送信する過程と（１１２）、
（Ｄ）前記セキュリティエンティティから前記セキュリティ情報に対応するセキュリティソフトウェアを受信する過程と（１１４）、
（Ｅ）前記サーバからアセットとサービスパッケージのうちの少なくとも一つを受信し、前記受信されたセキュリティソフトウェアを使用して前記アセットと前記サービスパッケージのうちの少なくとも一つを解読する過程と、を含み、
（Ｆ）前記セキュリティソフトウェアは、ダウンロード可能な受信制限システム（Ｄ−ＣＡＳ：downloadable　conditional　access　system）とダウンロード可能なデジタルコンテンツ権利管理（Ｄ−ＤＲＭ：downloadable　digital　rights　management）のうちの少なくとも一つであり、
（Ｇ）前記セキュリティソフトウェア要請メッセージは、
（Ｇ１）前記認証情報を使用する少なくとも一つのデバイスの識別を指示するデバイス識別子を含み、
（Ｇ２）前記クライアントデバイスが相異なる二つのデバイスで前記アセット及び前記サービスパッケージのうちの少なくとも一つを消費する場合、前記デバイス識別子は、前記相異なる二つのデバイスに対応する複数のデバイス識別子を含む
（Ａ）ことを特徴とする方法。
第４　引用文献の記載及び引用発明
１　上記第３において、本願発明として記載した請求項１に係る発明は、補正前の請求項１に、同補正前の請求項３の一部を加え、さらに、明細書に記載の技術事項を付加したものである。以下では、当審の拒絶理由において、補正前の請求項３に対して引用した引用文献１〜３のうち、引用文献１、３について検討を行う。
２　引用文献１
（１）引用文献１の記載事項
　当審の拒絶の理由に引用文献１として引用された米国特許出願公開第２０１２／００９００３４号明細書には、クライアントデバイスを含むDRMサービスシステムに関して、図面とともに以下の事項が記載されている。なお、下線は強調のために当審で付したものである。
ア「[0026] In accordance with an embodiment of the present invention, 
in a DRM service system providing digital content to which DRM technology is applied (hereinafter referred to as “DRM content”
DRM content is provided to a client device
（仮訳：本発明の一実施形態によれば、
DRM技術が適用されたデジタルコンテンツ（以下、“DRMコンテンツ”と呼ぶ）を提供するDRMサービスシステムにおいて
DRMコンテンツが、クライアントデバイスに提供される
イ「[0031] Referring to FIG. 1, 
the DRM service system includes a DRM download server 200, a content server (or content providing server) 400, a right issuer (or right issuing server) 300, a client device 100
（仮訳：図１を参照すると、
DRMサービスシステムは、DRMダウンロードサーバ200と、コンテンツサーバ（コンテンツ提供サーバ）400、権利発行装置（権利発行サーバ）300と、クライアントデバイス100とを備え
ウ「[0042] In accordance with an embodiment of the present invention, the content server 400 provides, to the client device 100, 
information (i.e., DRM download information) required to download a DRM module corresponding to a DRM system applied to DRM content
The DRM download information includes identification information for a DRM system, and address information (for example, URL information of the DRM download server 200) based on which a DRM module may be downloaded
（仮訳：本発明の実施形態にしたがい、コンテンツサーバ400は、クライアントデバイス100に、
DRMコンテンツに適用されたDRMシステムに対応するDRMモジュールをダウンロードするために必要な情報（すなわち、DRMダウンロード情報）
DRMダウンロード情報は、DRMシステムの識別情報と、それに基づいてDRMモジュールがダウンロードされ得るアドレス情報（例えば、ダウンロードサーバ200のURL情報）が含まれている
エ「[0044] When provided to the client device 100, 
the DRM content is included in a content file, and may include license acquisition information, DRM download information, and purchase information
the content file may be configured in the PIFF format
（仮訳：クライアントデバイス100に提供されるとき、
DRMコンテンツは、コンテンツファイルに含まれており、ライセンス取得情報、DRMダウンロード情報、及び、購入情報を含
コンテンツファイルは、PIFF形式で構成されてもよい
オ「[0078] 
In step 803, the content server 400 transfers the content file to the client device 100
（仮訳：
ステップ803において、コンテンツサーバ400は、コンテンツファイルをクライアントデバイス100に転送する
カ「[0079] 
In step 807, the client device 100 generates a DRM module request message for requesting download of the DRM module
and sends it to the DRM download server 200. The DRM module request message includes purchase information
（仮訳：
ステップ807において、クライアントデバイス100は
DRMモジュールのダウンロードを要求するためのDRMモジュール要求メッセージを生成し、それをDRMダウンロードサーバ200に送信する。DRMモジュール要求メッセージは購入情報を含
キ「[0080] 
Upon receiving the DRM module request message from the client device 100, the DRM download server 200 performs authentication on the client device 100 in step 809
If the authentication is successful
based on the purchase information included in the DRM module request message
the DRM download server 200 determines whether the client device 100 is qualified to download the DRM module
If the client device 100 is qualified to download the DRM module, the DRM download server 200 transmits the DRM module and its associated DRM policy to the client device 100 in step 811
（仮訳：
ステップ809において、クライアントデバイス100からDRMモジュール要求メッセージを受信すると、DRMダウンロードサーバ200は、クライアントデバイス100の認証
認証が成功すると
DRMモジュール要求メッセージに含まれている購入情報に基づいて
DRMダウンロードサーバ200は
クライアントデバイス100が、DRMモジュールをダウンロードする資格を有するか否かを判定する。ステップ811において、クライアントデバイス100が、DRMモジュールをダウンロードする資格がある場合、DRMダウンロードサーバ200は、DRMモジュール及びその関連付けられたDRMポリシーを、クライアントデバイス100に送信する
ク「[0081] Upon receiving the DRM module, the download agent 170 of 
the client device 100 installs the received DRM module, thereby creating the DRM agent 120
The client device 100 generates a license request message using the DRM agent 120, and sends it to the right issuer 300 in step 813
（仮訳：DRMモジュールを受信すると、
クライアントデバイス100
は、受信したDRMモジュールをインストールすることにより、DRMエージェント120を作成
ステップ813において、クライアントデバイス100は、DRMエージェント120を用いて、ライセンス要求メッセージを生成し、権利発行装置300に送信する
ケ「[0082] 
In step 815, the right issuer 300 transmits a requested license to the client device 100 upon request from the client device 100. The client device 100 decrypts and plays the DRM content using the acquired license
（仮訳：
ステップ815において、権利発行装置300は、クライアントデバイス100からの要求に応じて、要求されたライセンスをクライアントデバイス100に送信する。クライアントデバイス100は、取得したライセンスを用いて、DRMコンテンツを解読し、再生する
コ「
」
（２）引用文献１に記載された発明
　引用文献１に記載された発明を以下に認定する。
ア　上記（１）イによれば、引用文献１には、DRMダウンロードサーバ200と、コンテンツ提供サーバ400、権利発行サーバ300と、クライアントデバイス100とを備える「DRMサービスシステム」が記載されている。
　そして、上記（１）アによれば、引用文献１には、当該DRMサービスシステムにおけるクライアントデバイス100に、「DRM技術が適用されたデジタルコンテンツ」である「DRMコンテンツ」が提供されることが記載されている。
　また、上記（１）エによれば、DRMコンテンツは、コンテンツファイルに含まれるものである。
　よって、引用文献１には、「DRMサービスシステムにおけるクライアントデバイス100によって、DRMコンテンツを含むコンテンツファイルを受信する方法」が記載されている。
イ　上記（１）オによれば、引用文献１に記載の「コンテンツサーバ400」は、ステップ803において、「コンテンツファイルをクライアントデバイス100に転送する」から、当該クライアントデバイス100は、「コンテンツサーバ400から前記コンテンツファイルを受信するステップ803」を実行することが記載されている。
　そして、上記（１）エによれば、当該コンテンツファイルは、「DRMコンテンツ」、「ライセンス取得情報、DRMダウンロード情報、及び、購入情報」を含むこと、「コンテンツファイルはPIFF形式で構成される」ことが記載されている。
　また、上記（１）ウによれば、当該DRMダウンロード情報は、「DRMコンテンツに適用されたDRMシステムに対応するDRMモジュールをダウンロードするために必要な情報」であって、「DRMシステムの識別情報と、DRMモジュールをダウンロードできるアドレス情報」とを含むこと、当該アドレス情報は、「ダウンロードサーバ200のURL情報」であることが記載されている。
ウ　上記（１）カによれば、引用文献１に記載の「クライアントデバイス100」は、「DRMモジュールのダウンロードを要求するためのDRMモジュール要求メッセージを生成し、それをDRMダウンロードサーバ200に送信する」ステップ807を実行すること、そして、当該DRMモジュール要求メッセージは、「DRMモジュール要求メッセージは購入情報」を含むことが記載されている。
エ　上記（１）キによれば、引用文献１の「DRMダウンロードサーバ200」は、「クライアントデバイス100からDRMモジュール要求メッセージ」を受信すると、「クライアントデバイス100の認証」を実行し、そして、「DRMモジュール要求メッセージに含まれている購入情報に基づいて、クライアントデバイス100が、DRMモジュールをダウンロードする資格を有するか否かを判定する」ステップ809を実行すること、また、「クライアントデバイス100が、DRMモジュールをダウンロードする資格がある場合、DRMモジュール及びその関連付けられたDRMポリシーを、クライアントデバイス100に送信する」ステップ811を実行することが記載されている。
　よって、引用文献１に記載のクライアントデバイス100は、「DRMモジュール要求メッセージを受信したDRMダウンロードサーバ200において、クライアントデバイス100の認証が成功し、前記DRMモジュール要求メッセージに含まれている購入情報に基づいて、クライアントデバイス100がDRMモジュールをダウンロードする資格を有すると判定された場合に、DRMダウンロードサーバ200から、DRMモジュール及びその関連付けられたDRMポリシーを受信するステップ811」を実行することが記載されている。
オ　上記（１）クによれば、引用文献１の「クライアントデバイス100」は、「受信したDRMモジュールをインストールすることにより、DRMエージェント120を作成」すること、「DRMエージェント120を用いて、ライセンス要求メッセージを生成し、権利発行サーバ300に送信する」ステップ813を実行することが記載されている。
カ　上記（１）ケによれば、引用文献１に記載の「権利発行サーバ300」は、「クライアントデバイス100からの要求に応じて、要求されたライセンスをクライアントデバイス100に送信する」ステップ815を実行すること、当該クライアントデバイス100は、「取得したライセンスを用いて、DRMコンテンツを解読し、再生する」ことが記載されている。
　よって、引用文献１に記載のクライアントデバイス100は、「権利発行サーバ300から、クライアントデバイス100からの要求に応じて、要求されたライセンスを受信するステップ815」を実行すること、及び、「取得したライセンスを用いて、DRMコンテンツを解読し、再生する」ことが記載されている。
キ　まとめ
　以上によれば、引用文献１には、以下のとおりの発明（以下、「引用発明」という。）が記載されている。
　なお、引用発明の各構成の符号（ａ）〜（ｆ）は、説明のために付与したものであり、以下、構成ａ〜構成ｆと称する。
（引用発明）
（ａ）DRMダウンロードサーバ200と、コンテンツ提供サーバ400と、権利発行サーバ300と、クライアントデバイス100とを備えるDRMサービスシステムにおけるクライアントデバイス100によって、DRMコンテンツを含むコンテンツファイルを受信する方法において、前記クライアントデバイス100は、
（ｂ）前記コンテンツ提供サーバ400から前記コンテンツファイルを受信するステップ803と、
　ここで、当該コンテンツファイルには、DRMコンテンツと、ライセンス取得情報と、DRMダウンロード情報及び購入情報が含まれ、コンテンツファイルはPIFF形式で構成され、前記DRMダウンロード情報は、DRMコンテンツに適用されたDRMシステムに対応するDRMモジュールをダウンロードするために必要な情報であって、DRMシステムの識別情報と、DRMモジュールをダウンロードできるアドレス情報とを含み、当該アドレス情報は、ダウンロードサーバ200のURL情報であり、
（ｃ）DRMモジュールのダウンロードを要求するためのDRMモジュール要求メッセージを生成し、それをDRMダウンロードサーバ200に送信するステップ807と、
　ここで、DRMモジュール要求メッセージは購入情報を含んでおり、
（ｄ）前記DRMモジュール要求メッセージを受信した前記DRMダウンロードサーバ200において、クライアントデバイス100の認証が成功し、DRMモジュール要求メッセージに含まれている購入情報に基づいてクライアントデバイス100が、DRMモジュールをダウンロードする資格を有すると判定された場合に、前記DRMダウンロードサーバ200からDRMモジュール及びその関連付けられたDRMポリシーを受信するステップ811と、
（ｅ１）受信したDRMモジュールをインストールすることにより、DRMエージェント120を作成し、DRMエージェント120を用いて、ライセンス要求メッセージを生成し、権利発行サーバ300に送信するステップ813と、
（ｅ２）前記権利発行サーバ300から、クライアントデバイス100からの要求に応じて、要求されたライセンスを受信するステップ815と、
（ｆ）取得したライセンスを用いてDRMコンテンツを解読し、再生する
（ａ）方法。
３　引用文献３
（１）引用文献３の記載事項
　当審の拒絶の理由に引用文献３として引用された特開２００５−３２７１９６号公報には、クライアント装置から発行が依頼されたプログラムのライセンスを発行するライセンス管理装置に関して、図面とともに以下の事項が記載されている。なお、下線は強調のために当審で付したものである。
ア「【０００１】
　本発明は、クライント装置から発行が依頼されたプログラムのライセンスを発行するライセンス管理装置、その制御方法、プログラムおよび記憶媒体に関する。」
イ「【００１８】
　
クライアント装置１０９がプログラムのライセンス発行をライセンス管理装置１０１に依頼する際、クライアント装置１０９は、ライセンス発行に必要な情報（登録情報）を送信する
」
ウ「【００２１】
　受信手段２０５は、ネットワーク接続装置１０７を介して、上記クライアント装置１０９から送信されたライセンス発行に必要な情報（登録情報）を受信するものである。ここで、クライアント装置１０９から送信された
ライセンス発行に必要な情報として
デバイスＩＤ（デバイス識別情報）２０３があ
デバイスＩＤ２０３は、ライセンスの発行を受けたプログラムをインストール可能なデバイスを識別するための識別情報であり、このデバイスＩＤで指定されたデバイスには、ライセンスの発行を受けたプログラムをインストールすることができる
複数のデバイスＩＤを指定することも可能
（２）引用文献３に記載された技術
　上記（１）によれば、引用文献３には、以下の技術（以下、「文献３技術」という。）が記載されていると認められる。
（文献３技術）
　クライアント装置１０９がプログラムのライセンス発行をライセンス管理装置１０１に依頼する際、クライアント装置１０９は、ライセンス発行に必要な情報（登録情報）を送信するが、ここで、当該ライセンス発行に必要な情報としてデバイスＩＤ（デバイス識別情報）２０３があり、当該デバイスＩＤ２０３は、ライセンスの発行を受けたプログラムをインストール可能なデバイスを識別するための識別情報であり、このデバイスＩＤで指定されたデバイスには、ライセンスの発行を受けたプログラムをインストールすることができ、そして、複数のデバイスＩＤを指定することが可能である技術。
第５　対比
　次に、本願発明と、引用発明を対比する。
１　構成Ａ
　構成ａの「DRMサービスシステム」が提供するコンテンツファイルは、PIFF形式で構成される（構成ｂ）ものであり、「PIFF形式は、マルチメディアコンテンツの配信と再生を行うための標準のマルチメディアファイル形式」であることは、技術常識であるから、構成ａの「DRMコンテンツを含むコンテンツファイル」は「メディアデータ」であるといえ、そして、構成ａの「DRMサービスシステム」は、「マルチメディアシステム」であるといえる。
　したがって、構成ａは、構成Ａと一致する。
２　構成Ｂ
（１）構成Ｂの「セキュリティ情報」という用語について検討する。
　構成Ｂの「セキュリティ情報」とは、本願明細書に記載の「securityInfo」のことであると認められ、当該「securityInfo」は、「セキュリティソリューションに関する情報が提供される」（［００３２］）ものである。そして、当該「securityInfo」を指示する「Securtiy_descriptor」の一例として、『「Solution」: どのセキュリティソリューションが、アクセス制御、ＤＲＭ、Ｄ−ＣＡＳ又はＤ−ＤＲＭのために用いられるかを示す』や、『「DDRM_server_address」: 認証及び認可されたクライアントがＤ−ＤＲＭソフトウェアをダウンロード可能なＤ−ＤＲＭサーバのアドレスを示す』（［００３６］）が、本願明細書に記載されている。
（２）構成ｂの「DRMダウンロード情報」は、クライアントデバイスに提供されるDRMコンテンツに適用されたDRMシステムに対応するDRMモジュールをダウンロードするために必要な情報であって、DRMシステムの識別情報と、DRMモジュールをダウンロードできるアドレス情報とを含み、当該アドレス情報は、ダウンロードサーバ200のURL情報であることから、上記（１）より、構成Ｂの「セキュリティ情報」に相当する。
　そして、当該アドレス情報を含む、構成ｂの上記「DRMダウンロード情報」は、構成Ｂの「セキュリティ情報を含むシグナリングメッセージ」であるといえる。
　してみると、構成ｂは、コンテンツ提供サーバ400からセキュリティ情報を含むシグナリングメッセージを受信するものといえる。
　したがって、構成ｂは、「サーバからセキュリティ情報を含むシグナリングメッセージを受信する」点で、構成Ｂと一致する。
３　構成Ｃ、Ｆ、Ｇ、Ｇ１、Ｇ２
（１）構成Ｃの「セキュリティエンティティ」とは、本願明細書に「セキュリティソフトウェアサーバ１０６は、Ｄ−ＤＲＭ又はＤ−ＣＡＳに対応する論理的なエンティティであり」（［００２３］）と記載されていることから、「セキュリティソフトウェアサーバ」を含むものと認められる。
　してみると、構成ｃの「DRMダウンロードサーバ200」は、構成Ｃの「セキュリティエンティティ」に相当する。
（２）本願発明の「セキュリティソフトウェア」は、構成Ｆのとおり「ダウンロード可能な受信制限システム（Ｄ−ＣＡＳ：downloadable　conditional　access　system）とダウンロード可能なデジタルコンテンツ権利管理（Ｄ−ＤＲＭ：downloadable　digital　rights　management）のうちの少なくとも一つ」である。
　構成ｄの「DRMモジュール及びその関連付けられたDRMポリシー」は、ダウンロードできるものであるから、上記構成Ｆの後者の「ダウンロード可能なデジタルコンテンツ権利管理（Ｄ−ＤＲＭ：downloadable　digital　rights　management）」と一致する。
　してみると、構成ｄの「DRMモジュール及びその関連付けられたDRMポリシー」は、構成Ｆに相当し、また、構成Ｆである本願発明の「セキュリティソフトウェア」に相当する。
（３）そして、構成ｃの「DRMモジュール要求メッセージ」は、当該メッセージにより、構成ｄのとおり「DRMモジュール及びその関連付けられたDRMポリシー」を受信するものであるから、上記（２）より、セキュリティソフトウェアを要請するメッセージであるといえる。
（４）さらに、構成ｄにおいて、DRMダウンロードサーバ200は、クライアントデバイス100の認証を実行し、そして、DRMモジュール要求メッセージに含まれている購入情報に基づき、クライアントデバイス100が、DRMモジュールをダウンロードする資格を有するかの判定を行っているから、構成ｃの「DRMモジュール要求メッセージ」には、当該購入情報に加え、当該クライアントデバイス100の認証を行うために、クライアントデバイス100それ自体を識別するための情報、すなわち、識別子が含まれていることは自明である。
　してみると、構成ｃの「DRMモジュール要求メッセージ」は、認証情報を使用する少なくとも一つのデバイスの識別を指示するデバイス識別子を含むという点で、構成Ｃ、構成Ｇ、構成Ｇ１の「セキュリティソフトウェア要請メッセージ」と共通する。
（５）上記（１）、（４）より、構成ｃは、認証情報を使用する少なくとも一つのデバイスの識別を指示するデバイス識別子を含むセキュリティソフトウェア要請メッセージを、セキュリティエンティティに送信するものといえるから、構成Ｃ、構成Ｇ、構成Ｇ１と一致する。
　また、上記（２）より、構成ｄの「DRMモジュール及びその関連付けられたDRMポリシー」は、構成Ｆである本願発明の「セキュリティソフトウェア」と一致する。
（６）しかしながら、本願発明は、当該「セキュリティソフトウェア要請メッセージ」に含まれるデバイス識別子が、構成Ｇ２のとおり、「前記クライアントデバイスが相異なる二つのデバイスで前記アセット及び前記サービスパッケージのうちの少なくとも一つを消費する場合」に、「前記相異なる二つのデバイスに対応する複数のデバイス識別子を含む」ものであるのに対し、引用発明の「DRMモジュール要求メッセージ」は、上記（４）のとおり、「認証情報を使用する少なくとも一つのデバイスの識別を指示するデバイス識別子」は含まれているものの、そのような複数のデバイス識別子を含むことについて特定されていない点で、本願発明と相違する。
４　構成Ｄ
　構成ｄの「DRMダウンロードサーバ200」は、上記３（１）より、本願発明の「セキュリティエンティティ」に相当し、構成ｄの「DRMモジュール及びその関連付けられたDRMポリシー」は、上記３（２）より、本願発明の「セキュリティソフトウェア」であるといえる。
　ここで、当該DRMダウンロードサーバ200は、上記２（２）より、本願発明の「セキュリティ情報」に対応する構成ｂの「DRMダウンロード情報」によって特定されるものであるから、そのDRMダウンロードサーバ200から受信する当該「DRMモジュール及びその関連付けられたDRMポリシー」は、「セキュリティ情報」に対応する「セキュリティソフトウェア」であるといえる。
　してみると、構成ｄは、セキュリティエンティティから、セキュリティ情報に対応するセキュリティソフトウェアを受信するものといえる。
　したがって、構成ｄは、「セキュリティエンティティからセキュリティ情報に対応するセキュリティソフトウェアを受信する」という点で、構成Ｄと一致する。
５　構成Ｅ
（１）構成ｅ１、ｅ２、ｆは、受信したDRMモジュールをインストールすることにより、DRMエージェント120を作成し、DRMエージェント120を用いて受信したライセンスを用いてDRMコンテンツを解読し、再生するものであり、コンテンツを、アセットとサービスパッケージのうち少なくとも一つとすることは、本願の優先日前にはよく知られていることであるから、構成ｅ１、ｅ２、ｆは、「受信されたセキュリティソフトウェアを使用してアセットとサービスパッケージのうちの少なくとも一つを解読する」という点で、構成Ｅと共通する。
（２）しかしながら、セキュリティソフトウェアを使用して解読する対象物を、本願発明では、構成Ｅで、すなわち、セキュリティソフトウェアを受信した後に受信しているのに対し、引用発明では、構成ｂで、すなわち、DRMモジュールを受信する前であって、DRMモジュールの要求前に受信している点で相違する。
６　まとめ
　以上によれば、本願発明と引用発明の一致点及び相違点は、以下のとおりである。
［一致点］
（Ａ）マルチメディアシステムにおけるクライアントデバイスによってメディアデータを受信する方法であって、
（Ｂ）サーバからセキュリティ情報を含むシグナリングメッセージを受信する過程と（１１０ａ）、
（Ｃ）前記クライアントデバイスの認証情報を含むセキュリティソフトウェア要請メッセージをセキュリティエンティティに送信する過程と（１１２）、
（Ｄ）前記セキュリティエンティティから前記セキュリティ情報に対応するセキュリティソフトウェアを受信する過程と（１１４）、
（Ｅ）前記受信されたセキュリティソフトウェアを使用してアセットとサービスパッケージのうちの少なくとも一つを解読する過程と、を含み、
（Ｆ）前記セキュリティソフトウェアは、ダウンロード可能な受信制限システム（Ｄ−ＣＡＳ：downloadable　conditional　access　system）とダウンロード可能なデジタルコンテンツ権利管理（Ｄ−ＤＲＭ：downloadable　digital　rights　management）のうちの少なくとも一つであり、
（Ｇ）前記セキュリティソフトウェア要請メッセージは、
（Ｇ１）前記認証情報を使用する少なくとも一つのデバイスの識別を指示する情報を含む、
（Ａ）ことを特徴とする方法。
［相違点］
（相違点１）
　本願発明は、「セキュリティソフトウェア要請メッセージ」に含まれるデバイス識別子が、「クライアントデバイスが相異なる二つのデバイスでアセット及びサービスパッケージのうちの少なくとも一つを消費する場合、前記相異なる二つのデバイスに対応する複数のデバイス識別子を含む」ものであるのに対し、引用発明は、「DRMモジュール要求メッセージ」に、認証情報を使用する少なくとも一つのデバイスの識別を指示するデバイス識別子は含まれているものの、そのような複数のデバイス識別子は含まれていない点。
（相違点２）
　セキュリティソフトウェアを使用して解読する対象物を、本願発明では、セキュリティソフトウェアを受信した後に受信しているのに対し、引用発明では、DRMモジュールを受信する前であって、DRMモジュールの要求前に受信している点。
第６　判断
１　相違点について
（１）相違点１
　引用文献３には、上記第４の３（２）のとおりの技術が記載されており、これによれば、「クライアント装置が、複数のデバイスＩＤを指定して、プログラムのライセンス発行を依頼することで、その複数のデバイスが、ライセンスの発行を受けた当該プログラムをインストールすることを可能とする技術」が、公知のものである。
　そして、引用発明と、文献３技術はいずれも、プログラムのインストールに関するものという点で共通するから、引用発明において文献３技術を適用し、DRMモジュールを、複数のデバイスにおいて使用する場合、クライアントデバイス100がDRMダウンロードサーバ200に送信する「DRMモジュール要求メッセージ」に、複数のデバイスの識別子を含め、当該DRMモジュールを当該複数のデバイスでインストールできるようにすることは、当業者が容易に想到し得たことである。
（２）相違点２
　セキュリティソフトウェアと、そのセキュリティソフトウェアを使用して解読する対象物であるコンテンツとは、当該コンテンツを再生するとき等、当該コンテンツを実際に使用するときまでに揃っていればよいのであるから、それらを受信する順序については当業者が適宜選択可能な設計的事項であり、引用発明において、クライアントデバイス100が、DRMモジュール及びその関連付けられたDRMポリシーを受信した後に、当該クライアントデバイス100が、DRMコンテンツを受信するようにすることは、当業者が容易になし得たことである。
　よって、請求項１に係る発明は、引用文献１に記載の発明と、引用文献３に記載された技術に基づいて、当業者が容易に発明をすることができたものである。
２　効果等について
　本願発明の構成は、上記のように当業者が容易に想到できたものであるところ、本願発明が奏する効果は、その容易想到である構成から当業者が容易に予測し得る範囲内のものであり、同範囲を超える顕著なものではない。
３　まとめ
　以上のように、本願発明は、引用文献１に記載された発明、及び、引用文献３に記載された技術に基いて、当業者が容易に発明をすることができたものである。
第７　むすび
　以上のとおり、本願発明は、引用文献１に記載された発明、及び、引用文献３に記載された技術に基いて、当業者が容易に発明をすることができたものであるから、特許法２９条第２項の規定により特許を受けることができない。
　したがって、本願は、その余の請求項について検討するまでもなく、拒絶をすべきものである。
　よって、結論のとおり審決する。